(57)【要約】      （修正有）【課題】肉を焼いて食する際に不要な脂分をできるだけ摂取しないで済むと共に、焼き面部分で焼き上がった食材を焦がすことなく保温しながら取り置くことができ、しかも、生産歩留まり向上させることが可能な焼肉プレートを提供する。【解決手段】焼き面１の周囲に所要高さの段差を設けて取り置き載せ部２を連続して形成せしめ、焼き面１はその上面が中央部分から外周に向かって下方に緩く傾斜し且つ中央部分から外周にわたって周方向に複数本の突条１１を突出形成してなり、取り置き載せ部２の上面は外縁部分から内側に向かって下方に緩く傾斜させると共に外縁部分から内側に向かう複数本の突条２１を突出形成され、さらに焼き面１と取り置き載せ部２との境界部分に油溜り凹溝３を設けてなる。【選択図】図１
0003115788.tif 000002
【実用新案登録請求の範囲】
【請求項１】
焼き面の周囲に所要高さの段差を設けて取り置き載せ部を連続して形成せしめ、前記焼き面はその上面が中央部分から外周に向かって下方に緩く傾斜し且つ中央部分から外周にわたって周方向に複数本の突条を突出形成してなり、さらに前記焼き面と取り置き載せ部との境界部分に油溜り凹溝を設けてなることを特徴とする焼肉プレート。
【請求項２】
前記取り置き載せ部の上面を、外縁部分から内側に向かって下方に緩く傾斜させると共に外縁部分から内側に向かう複数本の突条を突出形成してなる請求項１に記載の焼肉プレート。
【請求項３】
前記焼き面及び取り置き載せ部がセラミックス材を用いて同一体に形成され、裏面側に当該焼き面及び取り置き載せ部にわたって変形防止用リブが突出形成されている請求項１又は２に記載の焼肉プレート。
【考案の詳細な説明】
【技術分野】
【０００１】
本考案は焼肉プレートに関し、更に詳しくは、セラミックス材を用いて形成された焼肉プレートの改良に関するものである。
【背景技術】
【０００２】
焼肉プレートとしては、従来から各種の形状・形態をしたセラミックス製のものや鋳鉄製のもの等が提供されている。
尚、本願出願人が知っている上記の先行技術は、文献公知考案に係るものではないため、本願明細書には先行技術文献情報を開示しない。
【考案の開示】
【考案が解決しようとする課題】
【０００３】
本考案の目的は、肉を焼いて食する際に不要な脂分をできるだけ摂取しないで済むと共に、焼き面部分で焼き上がった食材を焦がすことなく保温しながら取り置くことができ、しかも、生産歩留まり向上させることが可能な焼肉プレートを提供することにある。
【課題を解決するための手段】
【０００４】
斯かる目的を達成する本考案の焼肉プレートは、焼き面の周囲に所要高さの段差を設けて取り置き載せ部を連続して形成せしめ、前記焼き面はその上面が中央部分から外周に向かって下方に緩く傾斜し且つ中央部分から外周にわたって周方向に複数本の突条を突出形成してなり、さらに前記焼き面と取り置き載せ部との境界部分に油溜り凹溝を設けてなることを特徴としたものである（請求項１）。
この際、前記取り置き載せ部の上面を、外縁部分から内側に向かって下方に緩く傾斜させると共に外縁部分から内側に向かう複数本の突条を突出形成する（請求項２）か、前記焼き面及び取り置き載せ部をセラミックス材を用いて同一体に形成し、裏面側に当該焼き面及び取り置き載せ部にわたって変形防止用リブを突出形成することが好ましい（請求項３）。
【考案の効果】
【０００５】
本考案に係る焼肉プレートによれば、焼き面の周囲に所要高さの段差を設けて取り置き載せ部を連続して形成せしめてなるので、焼き面部分で焼き上がった食材等を取り置き載せ部に載せておくことが出来る。従って、焼き上がった食材等を焦がすことなく保温しながら取り置くことができる取り皿代わりにもなるし、更に焼き過ぎたものやかす等を取り置くことも出来る。
【０００６】
しかも、焼き面はその上面が中央部分から外周に向かって下方に緩く傾斜し且つ中央部分から外周にわたって周方向に複数本の突条を突出形成し、さらに焼き面と取り置き載せ部との境界部分に油溜り凹溝を設けてなるので、焼き面で食材を焼いている際に、突条と突条の間を通って脂分が自然に油溜り凹溝方へ流れて溜り、肉を焼いて食する際に不要な脂分を摂取しないで済むようになると共に、使用後において焼き面部分などの汚れが落としやすくなる。
【０００７】
また、特に請求項２に係る焼肉プレートによれば、前記取り置き載せ部の上面を、外縁部分から内側に向かって下方に緩く傾斜させると共に外縁部分から内側に向かう複数本の突条を突出形成してなるので、焼き上がった食材等を取り置き載せ部に取り置きした際に、突条と突条の間を通って脂分が自然に油溜り凹溝方へ流れて、より一層のこと余分な脂分が除去され不要な脂分を摂取しないで済むようになる。
そして、特に請求項３に係る焼肉プレートによれば、前記焼き面及び取り置き載せ部をセラミックス材を用いて同一体に形成し、裏面側に当該焼き面及び取り置き載せ部にわたって変形防止用リブを突出形成してなるので、本案焼肉プレートを焼成して作製する際にその変形を防止することができ、従って、生産歩留まりを向上させることが出来る。
【考案を実施するための最良の形態】
【０００８】
以下、本考案の具体的な好適実施例を、図面を参照しながら詳細に説明するが、本考案は図示した実施例のものに限定されるものではなく、その要旨を越えない範囲において自由に変更可能である。
【０００９】
本考案に係る焼肉プレートＡは、焼き面１の周囲に所要高さの段差（Ｈ）を設けて取り置き載せ部２を連続して形成されていることを基本形状となし、セラミックス材若しくは鋳鉄等の金属材を用いて周知の方法により所望の外形形状に形成される。
なお、焼肉プレートＡを形成するセラミックス材若しくは鋳鉄等の金属材の成分やそれらの配合割合等は、本考案の要旨とするところではないのでその具体的説明についてここでは省略する。
【００１０】
焼肉プレートＡの焼き面１は、平面から視て例えば略円形状に形成されると共に、その上面が中央部分から外周に向かって下方に例えば２〜５度程度に緩く傾斜させて形成され、更に中央部分から外周にわたって周方向に円弧状に形成された複数本の突条１１を突出形成してなる。
【００１１】
焼き面１に形成される複数本の突条１１は、それぞれ環状ではなく図示実施例の如く、周方向に不連続に例えば１/５円弧状に形成することが好ましく、そして各突条１１の間隔（ピッチ）は当該突条１１の高さを３ｍｍ程度に設定した場合５〜７ｍｍ程度の範囲に設定することが好ましい。各突条１１をこの様に形成すれば、使用後に洗浄する際に、汚れを落しやすくなる。
【００１２】
取り置き載せ部２は、焼き面１の周囲に所要高さの段差（Ｈ）を設けて、焼き面１と連続同一体に形成され、焼き面１との境界部分に焼き面１及び取り置き載せ部２から流れ出てくる脂・油分を受けて溜めておくための油溜り凹溝３を設ける。
【００１３】
また、取り置き載せ部２の上面は、その外縁部分２ａから内側（焼き面１方）に向かって下方に緩く傾斜させると共に、外縁部分２ａから内側（焼き面１方）に向かう直線状の突条２１を放射状に複数本突出形成してなる。
なお、この取り置き載せ部２は、図示実施例の場合、図面上において焼き面１の周囲左右側に広く形成されているが、焼き面１の周囲上下側にも広く張り出し形成することは自由である。
【００１４】
また、焼肉プレートＡの裏面側には、焼き面１と取り置き載せ部２にわたって変形防止用リブ４を突出形成する。
この変形防止用リブ４は、セラミックス材を用いて焼肉プレートＡを焼成し作製する際にその変形を防止するためのものであり、焼き面１及び取り置き載せ部２の形状や大きさに応じて配設する位置や数が決められる。
ちなみに、実施例の場合、焼肉プレートＡが略長方形状に形成されているので、四隅のコーナー部分と短辺側の中央位置に合計６本が突出形成されている。
【００１５】
なお、図中の符号５は、焼肉プレートＡとしての外観デザイン性を向上させるために平面から見て取手風の形状に形成された装飾窪みであり、格別なくとも良い。
【図面の簡単な説明】
【００１６】
【図１】本考案実施の一例を示す平面図。
【図２】図１の中央横断面図。
【符号の説明】
【００１７】
Ａ：焼肉プレート
１：焼き面
１１：焼き面の突条
２：取り置き載せ部
２ａ：取り置き載せ部の外縁部分
２１：取り置き載せ部の突条
３：油溜り凹溝
４：変形防止用リブ
５：装飾窪み
【図１】
0003115788.tif 000003
【図２】
0003115788.tif 000004